(57)【特許請求の範囲】
【請求項１】
３次元内視鏡からの手術の立体映像信号を記録する立体映像記録装置であって、
３次元内視鏡からの手術の立体映像信号を入力する映像入力部と、
３次元内視鏡からの手術の立体映像信号を入力するとともに立体映像信号の視差情報を調整し、表示する立体映像表示装置からの情報を受信する受信部と、
この受信部が受信した前記立体映像表示装置から送信される前記立体映像信号の視差情報により、前記映像入力部に入力された３次元内視鏡からの手術の立体映像信号の前記立体映像信号の視差情報を調整する記録制御部と、
前記視差情報が調整された立体映像信号を記録する記録部と、
前記記録部に記録された立体映像信号を出力する映像出力部と、
を備えた立体映像記録装置。
【請求項２】
３次元内視鏡からの手術の立体映像信号を表示する立体映像表示装置であって、
３次元内視鏡からの手術の立体映像信号を入力する映像入力部と、
被写体に対して左右両眼視差情報をもつ立体映像信号の視差情報を調整する設定入力部と、前記視差情報により調整された立体映像信号を表示可能となるように合成する表示制御部と、
この表示制御部で調整した視差情報を請求項１に記載の立体映像記録装置に送信する送信部と、
を備えた立体映像表示装置。
【請求項３】
請求項１に記載の立体映像記録装置と、 
請求項２に記載の立体映像表示装置と、 
前記立体映像記録装置と立体映像表示装置とに立体映像信号を送信するネットワークと、
を備えた立体映像記録システム。
【発明の詳細な説明】
【技術分野】
【０００１】
本発明は、たとえば、内視鏡手術の立体映像を記録する立体映像情報記録装置に関するものである。
【背景技術】
【０００２】
従来の内視鏡手術の立体映像を記録する立体映像記録装置は、被写体に対して左右両眼視差を有する立体情報撮影カメラにより入力された左右それぞれの映像信号を、それぞれそのまま記録する構成となっていた。立体映像の視差調整をして、使用者に合った立体感で表示する表示装置が開示されている（例えば下記特許文献１、特許文献２）。
【先行技術文献】
【特許文献】
【０００３】
【特許文献１】特開２０１１−２５００５９号公報
【特許文献２】国際公開第２０１１／１４８９２１号
【発明の概要】
【発明が解決しようとする課題】
【０００４】
前記従来例における課題は、使用者が視差調整した立体映像信号を記録できないことであった。
【０００５】
すなわち、上記従来例における立体映像記録装置は、被写体に対して左右両眼視差を有する立体情報撮影カメラにより入力された左右それぞれの映像信号を、それぞれそのまま記録する構成となっていたので、例えば、立体映像表示装置で視差情報を調整した場合には、その視差情報を調整する手段を立体映像記録装置で備えていないので、使用者が視差調整した立体映像信号を記録できない構成となっていた。
【０００６】
そこで本発明は、使用者が視差調整した立体映像信号を記録することを目的とするものである。
【課題を解決するための手段】
【０００７】
そしてこの目的を達成するために本発明は、立体映像信号を記録する立体映像記録装置であって、外部装置からの情報を受信する受信部と、この受信部が受信した前記外部装置からの視差情報により、前記立体映像信号の視差情報を調整して、この立体映像信号を記録する記録部と、を備えた構成とした。
【０００８】
これにより所期の目的を達成するものである。
【発明の効果】
【０００９】
以上のように本発明は、立体映像信号を記録する立体映像記録装置であって、外部装置からの情報を受信する受信部と、この受信部が受信した前記外部装置からの視差情報により、前記立体映像信号の視差情報を調整して、この立体映像信号を記録する記録制御部と、を備えた構成としたものであるので、使用者が視差調整した立体映像信号を記録することができる。
【００１０】
すなわち本発明においては、外部より視差情報を受信する受信部と、その受信された視差情報を調整した映像信号を記録する記録制御部と、を備えているので、使用者が視差調整した立体映像信号を記録することができるのである。
【図面の簡単な説明】
【００１１】
【図１】本発明の一実施形態を示す斜視図
【図２】本発明の一実施形態を示す立体映像記録システムのブロック図
【図３】本発明の一実施形態を示す立体映像表示装置、および、立体映像記録装置のブロック図
【発明を実施するための形態】
【００１２】
以下、本発明の一実施形態を、手術用内視鏡装置に適用した物を、添付図面を用いて説明する。
【００１３】
図１は、本発明の一実施形態を示す図として、手術用カメラである３Ｄ硬性内視鏡７を用いて、体腔内の手術を行っている状態を示している。
【００１４】
図１に示すように、執刀医１、助手２は、患者３を全身麻酔した後、この患者３の体腔６が鉗子４、５、またレンズおよびカメラを含む３Ｄ硬性内視鏡７に対して動かないように患者３を固定した状態で手術を行う。
【００１５】
３Ｄ硬性内視鏡７は、助手２によって操作され、患者３の処置対象の臓器がある体腔６の観察および拡大可能なように、体腔６に３Ｄ硬性内視鏡７の先端部を挿入し、その挿入の深さ・角度を変更するが、この状態において、執刀医１は、処置具としての鉗子４、5を３Ｄ硬性内視鏡７とは離れた位置から挿入するので、体腔６内で３Ｄ硬性内視鏡７の先端部と鉗子４、５との間は、鉗子４、5による処置が可能な程度に離した状態になる。
【００１６】
ここで、手術に使用する処置具としては、鉗子４、5あるいは、ドリル、レーザメスなど、先端に処置手段と、手で保持するための把持部とを備えた長手方向に棒状の形状をしたものを想定している。
【００１７】
３Ｄ硬性内視鏡７の先端部は、左右一対のレンズによって構成されており、これらレンズ間に生じる左右の視差による映像を合成することで、患部の映像が立体的な映像として立体映像表示装置８に映し出される。執刀医１は、この立体映像表示装置８に映し出された映像を見ながら鉗子４、５により手術を行い、助手２は、この立体映像表示装置８に映し出された映像を見ながら３Ｄ硬性内視鏡７の操作を行うのである。
【００１８】
上記立体情報を撮像する３Ｄ硬性内視鏡７からの映像は、ネットワーク９を経由して、立体映像表示装置８および立体映像記録装置１０に入力される。
【００１９】
図２に３Ｄ硬性内視鏡７と、ネットワーク９を経由して、立体映像表示装置８および立体映像記録装置１０により構成される立体映像記録システムを示す。
【００２０】
まず、３Ｄ硬性内視鏡７から出力された左右一組の映像信号は、ネットワーク９を経由して、立体映像表示装置８および立体映像記録装置１０にそれぞれ入力される。
【００２１】
立体映像表示装置８は、使用者が視差情報を調整可能となるように構成されている。これは、本実施形態においては、使用者は、内視鏡により手術を行う執刀医１であり、執刀医１は、立体映像表示装置８に表示される立体映像の奥行き感、つまり、鉗子４、５で患部を手術する際の距離感を執刀医１の感覚に合うように手術の前に調整する。
【００２２】
つまり、立体映像表示装置８は、使用者である手術を行う執刀医１固有の感覚に合うように、使用前に視差情報に調整されることとなる。
【００２３】
３Ｄ硬性内視鏡７からの映像信号は、ネットワーク９を経由して、立体映像表示装置８および立体映像記録装置１０に入力されることとなり、この映像信号には、上述した立体映像表示装置８で調整された視差情報は含まれない。そこで、立体映像表示装置８から調整された視差情報を送信手段１１によって立体映像記録装置１０に送信するように構成されている。
【００２４】
立体映像記録装置１０では、送信手段１１を経由して受け取った視差情報も基に３Ｄ硬性内視鏡７からの映像信号の視差情報を調整し、調整された映像信号を記録するように構成している。
【００２５】
尚、、送信手段１１は具体的には、ＲＳ２３２Ｃなどの有線での送信形態であっても良いし、無線形態で接続されたものであっても良い。
【００２６】
図３に、立体映像表示装置８、および、立体映像記録装置１０の内部の機能ブロック図を示す。
【００２７】
まず、立体映像表示装置８は、被写体に対して左右両眼視差情報をもつ立体映像信号を入力する映像入力部１２と、この映像入力部からの立体映像信号を表示可能となるように合成する表示制御部１３と、この表示制御部１３からの映像信号を表示部１４に表示する。
【００２８】
次に、設定入力部１５では、使用者である執刀医１が、その感覚に合うように、視差情報を表示部１４の表示画面を見ながら調整する。設定入力部１５に入力された視差情報は、表示制御部１３に渡され、表示制御部１３では、映像入力部１２からの立体映像信号に対して、左右の映像信号のずらし量を調整するために用いられる。表示制御部１３では、調整された視差情報を送信部１６に渡し、送信可能となるように構成されている。
【００２９】
次に、立体映像記録装置１０は、被写体に対して左右両眼視差情報をもつ立体映像信号を入出力する映像入出力部１７と、この映像入出力部１７からの立体映像信号を記録再生可能となるように制御する記録再生制御部１８と、この記録再生制御部１８からの映像信号を記録部１９にて記録媒体に記録する。
【００３０】
また、記録動作の逆の動作として再生動作は、記録部１９にて記録媒体に書き込まれた映像信号を、記録再生制御部１８が読み出し、映像入出力部１７より外部に映像信号を出力する。
【００３１】
また、設定入力部２０では、記録再生動作の設定と、使用者が視差情報を設定可能となるように構成されている。
【００３２】
そして、立体映像記録装置１０には、立体映像表示装置８に設けられた送信部１６から送信手段１１を経由して、立体映像表示装置８にて調整された視差情報を受信可能とする受信部２１が設けられている。受信部２１では、立体映像表示装置８の送信部１６より受信した視差情報を受け取り、この視差情報に基づいて、記録再生制御部１８では、映像入出力部１７より入力された映像信号を視差補正して、記録媒体に記録する構成となっている。
【００３３】
このように本発明の実施の形態の立体映像記録装置１０においては、外部より視差情報を受信する受信部２１と、その受信された視差情報を調整した映像信号を記録する記録制御部１８と、を備えているので、使用者である執刀医１が視差調整した立体映像信号を記録することができるので、手術に実際に利用された手術画像を記録することが可能となるのである。
【産業上の利用可能性】
【００３４】
以上のように本発明は、立体映像信号を記録する立体映像記録装置であって、外部装置からの情報を受信する受信部と、この受信部が受信した前記外部装置からの視差情報により、前記立体映像信号の視差情報を調整して、この立体映像信号を記録する記録制御部と、を備えた構成としたものであるので、使用者が視差調整した立体映像信号を記録することができる。
【００３５】
すなわち本発明においては、外部より視差情報を受信する受信部と、その受信された視差情報を調整した映像信号を記録する記録制御部と、を備えているので、使用者が視差調整した立体映像信号を記録することができるのである。
【００３６】
したがって、手術中の患部の映像を立体的に表示、記録することが求められる３Ｄ硬性内視鏡等の手術用カメラへの記録表示装置への適用が大いに期待されるものである。
【符号の説明】
【００３７】
１  執刀医
２  助手
３  患者
４、５  鉗子
６  体腔
７  ３Ｄ硬性内視鏡
８  立体映像表示装置
９  ネットワーク
１０  立体映像記録装置
１１  送信手段
１２  映像入力部
１３  表示制御部
１４  表示部
１５  設定入力部
１６  送信部
１７  映像入出力部
１８  記録再生制御部
１９  記録部
２０  設定入力部
２１  受信部
【図１】
0006021215.tif 000002
【図２】
0006021215.tif 000003
【図３】
0006021215.tif 000004